(57)【要約】      （修正有）【課題】電極パターンの面抵抗値が外部環境によって変化しても接触点の座標を正確に算出することができるタッチスクリーンを提供する。【解決手段】ベース部材１１０、前記ベース部材１１０の一面に第１方向に形成された複数の電極パターン１２０、前記電極パターン１２０の両端に連結された電極配線１３０、及び前記電極配線１３０に連結されて、前記電極パターン１２０の抵抗変化を測定して基準電圧変化値を更新し、外部接触が発生した場合に前記充放電特性を用いて接触点の座標情報を算出する。【選択図】図１
2012018659.tif 000002
【特許請求の範囲】
【請求項１】
ベース部材；
前記ベース部材の一面に第１方向を有して複数で形成された電極パターン；
前記電極パターンの両端に連結された電極配線；及び
前記電極配線に連結されて、前記電極パターンの抵抗変化を測定して基準電圧変化値を更新し、外部接触が発生した場合に前記電極パターンで発生する充放電特性を測定して接触点の座標情報を算出する制御部；
を含むタッチスクリーン。
【請求項２】
前記制御部は、
前記電極パターンの前記充放電特性を測定して外部接触が発生したかを判断する充放電測定部；
前記充放電特性の電圧変化を用いて前記接触点の座標情報を算出する座標検出部；
前記電極パターンの抵抗変化を測定する抵抗測定部；
前記抵抗測定部で測定された前記電極パターンの抵抗値を用いて前記基準電圧変化値を更新する補正更新部；
前記基準電圧変化値による座標値を表すルックアップテーブルを貯蔵して、前記補正更新部で更新した前記基準電圧変化値を貯蔵するメモリー部；
を含んで構成されることを特徴とする請求項１に記載のタッチスクリーン。
【請求項３】
前記複数の電極パターンが面積及び形状が同一であることを特徴とする請求項１に記載のタッチスクリーン。
【請求項４】
前記複数の電極パターンは同一の間隔を置いて離隔されたことを特徴とする請求項１に記載のタッチスクリーン。
【請求項５】
前記複数の電極パターンをカバーする保護層をさらに含むことを特徴とする請求項１に記載のタッチスクリーン。
【請求項６】
前記電極配線の末端が前記ベース部材の一面に形成された接続部に集合されることを特徴とする請求項１に記載のタッチスクリーン。
【請求項７】
前記電極パターンは導電性高分子で構成されたことを特徴とする請求項１に記載のタッチスクリーン。
【請求項８】
前記導電性高分子はＰＥＤＯＴ／ＰＳＳを含むことを特徴とする請求項７に記載のタッチスクリーン。
【発明の詳細な説明】
【技術分野】
【０００１】
本発明はタッチスクリーンに関する。
【背景技術】
【０００２】
移動通信技術の発達と共に、携帯電話、ＰＤＡ、ナビゲーションのような端末機は単純な文字情報の表示手段から一歩進んで、オーディオ、動画、無線インターネットウェブブラウザーなどのようなより多様で複雑なマルチメディアの提供手段としてその機能が拡大されている。最近、制限された端末機の大きさ内でより大きいディスプレー画面の具現が求められていて、タッチスクリーンを適用したディスプレー方式がさらに脚光を浴びている。このようなタッチスクリーンは、スクリーンと座標入力手段を統合することにより、従来のキー入力方式に比べて空間を節約することができる利点を有する。
【０００３】
現在多く採用されているタッチスクリーンの形態は大きく二つの方式に分類される。
まず、抵抗膜式タッチスクリーンは、上／下部の電極膜がスペーサーによって離隔されて、押されることにより互いに接触されることができるように配置された形態である。上部の電極膜が形成されている上部基板が指、ペンなどの入力手段によって押される時、上／下部の電極膜が通電されて、その位置の抵抗値の変化による電圧変化を制御部で認知して接触座標を認識する方式である。
【０００４】
そして、静電容量式タッチスクリーンは、第１方向性を有する第１電極パターンが形成された上部基板と第２方向性を有する第２電極パターンが形成された下部基板が互いに離隔されて、第１電極パターンと第２電極パターンが接触することができないように絶縁体が挿入される。
【０００５】
このような静電容量式タッチスクリーンは、入力手段がタッチスクリーンに接触することにより第１電極パターンと第２電極パターンで発生する静電容量の変化を測定して接触点の座標を算出する。
一方、従来のタッチスクリーンは電極パターンに導電性物質を用いるが、導電性物質は湿度及び温度に敏感であり、外部環境の変化によって面抵抗の値が変化される性質を有する。電極パターンの面抵抗が変化されると、入力手段が接触しても接触点の正確な座標を算出することができず、タッチスクリーンはその機能を喪失するという問題点が発生した。
【発明の開示】
【発明が解決しようとする課題】
【０００６】
本発明は、上述のような問題点を解決するために導き出されたものであり、電極パターンの面抵抗の変化を測定し、面抵抗値を基に基準電圧変化値を更新して、電極パターンの面抵抗値が外部環境によって変化しても接触点の座標を正確に算出することができるタッチスクリーンを提案することを目的とする。
【課題を解決するための手段】
【０００７】
本発明はタッチスクリーンに関するもので、ベース部材、前記ベース部材の一面に第１方向を有して複数で形成された電極パターン、前記電極パターンの両端に連結された電極配線、及び前記電極配線に連結されて、前記電極パターンの抵抗変化を測定して基準電圧変化値を更新し、外部接触が発生した場合に前記電極パターンで発生する電圧変化値を測定して接触点の座標情報を算出する制御部を含む。
【０００８】
また、本発明の前記制御部は、前記電極パターンの前記充放電特性を測定して外部接触が発生したかを判断する充放電測定部、前記充放電特性の電圧変化を用いて前記接触点の座標情報を算出する座標検出部、前記電極パターンの抵抗変化を測定する抵抗測定部、前記抵抗測定部で測定された前記電極パターンの抵抗値を用いて前記基準電圧変化値を更新する補正更新部、前記基準電圧変化値による座標値を表すルックアップテーブルを貯蔵して、前記補正更新部で更新した前記基準電圧変化値を貯蔵するメモリー部を含むことを特徴とする。
【０００９】
また、本発明は前記複数の電極パターンが面積及び形状が同一であることを特徴とする。
また、本発明は前記複数の電極パターンは同一の間隔を置いて離隔されたことを特徴とする。
また、本発明は前記複数の電極パターンをカバーする保護層をさらに含むことを特徴とする。
また、本発明は前記電極配線の末端が前記ベース部材の一面に形成された接続部に集合されることを特徴とする。
【００１０】
また、本発明は前記電極パターンは導電性高分子で構成されたことを特徴とする。
また、本発明の前記導電性高分子はＰＥＤＯＴ／ＰＳＳを含むことを特徴とする。
本発明の特徴及び利点は添付図面に基づいた以下の詳細な説明によってさらに明白になるであろう。
本発明の詳細な説明に先立ち、本明細書及び請求範囲に用いられた用語や単語は通常的かつ辞書的な意味に解釈されてはならず、発明者が自らの発明を最善の方法で説明するために用語の概念を適切に定義することができるという原則にしたがって本発明の技術的思想にかなう意味と概念に解釈されなければならない。
【発明の効果】
【００１１】
本発明によるタッチスクリーンは、従来の抵抗膜式タッチスクリーンに比べて接触点の座標獲得が精緻であり、従来の静電容量式タッチスクリーンに比べてタッチスクリーンの構造が単純であるという長所を有する。
また、本発明によるタッチスクリーンは、電極パターンの面抵抗変化を測定し、面抵抗値を基に基準電圧変化値を更新して、電極パターンの面抵抗値が外部環境によって変化しても接触点の座標を正確に算出することができる。
【００１２】
そして、本発明によるタッチスクリーンは、電極パターンが断層で形成されて、スリムな構成を有し、電極パターンの両端に連結された電極配線を通じてＲＣ等価回路の充放電特性によって接触点の座標を算出することにより、接触点の座標を正確に測定することができる。
【発明を実施するための最良の形態】
【００１３】
本発明の目的、特定の長所及び新規の特徴は添付図面と以下の詳細な説明および好ましい実施例によってさらに明白にになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、本発明を説明するにおいて、係わる公知技術に対する具体的な説明が本発明の要旨を不必要にぼかす可能性があると判断される場合は、その詳細な説明を省略する。
【００１４】
以下、添付図面を参照して本発明の好ましい実施例を詳細に説明する。
図１は本発明の好ましい実施例によるタッチスクリーンの平面図であり、図２は図１に図示されたタッチスクリーンの断面図である。以下、これを参照して本発明によるタッチスクリーンに対して検討する。
本発明によるタッチスクリーン１００は、一面に複数の電極パターン１２０が形成されたベース部材１１０を含む。
【００１５】
ベース部材１１０は透明な部材であり、ガラス基板、フィルム基板、繊維基板、紙基板が用いられることができて、このうちフィルム基板は、ポリエチレンテレフタレート（ＰＥＴ）、ポリメチルメタクリレート（ＰＭＭＡ）、ポリプロピレン（ＰＰ）、ポリエチレン（ＰＥ）、ポリエチレンナフタレンジカルボキシレート（ＰＥＮ）、ポリカーボネート（ＰＣ）、ポリエーテルサルフォン（ＰＥＳ）、ポリイミド（ＰＩ）、ポリビニルアルコール（ＰＶＡ）、環状オレフィン共重合体（ＣＯＣ）、スチレン重合体などで構成されることができる。ベース部材１１０の材料の選択は、タッチスクリーンが適用される端末機の種類と用途によって選択することが好ましい。
【００１６】
電極パターン１２０は前記ベース部材１１０の一面に第１方向性を有して複数で形成される。
電極パターン１２０はＩＴＯ（ｉｎｄｉｕｍ  ｔｉｎ  ｏｘｉｄｅ）のような導電性物質が採用されることができる。この際、電極パターン１２０は導電性高分子で構成されることが好ましい。導電性高分子は有機系化合物として、ポリチオフェン系、ポリピロル系、ポリアニリン系、ポリアセチレン系、ポリフェニレン系などが採用されることができて、特にポリチオフェン系の中でもＰＥＤＯＴ／ＰＳＳ化合物の場合がもっとも好ましく、前記有機系化合物のうち１種以上を混合して用いることができる。
【００１７】
このような導電性高分子はＩＴＯと対等な面抵抗を有する同時に、製造コストが安価である長所がある。このような電極パターン１２０は導電性物質をグラビア印刷、インクジェット印刷、フォトリソグラフィ方式など、公知された方式によって形成されることができる。
また、電極パターン１２０は第１方向性を有し、延長されて形成された形状を有する。図１に図示されたように、電極パターンは均一な抵抗を有するために棒状を有し、隣接する電極パターンと平行に形成される。
【００１８】
そして、複数の電極パターンは面積及び形状が同一であることが好ましい。入力手段がタッチスクリーンに接触した場合に発生する静電容量の変化は電極パターンと入力手段の接触面積によって決まるため、電極パターンが可変的要素として電極パターンに発生する静電容量の変化に影響を与えないために、複数の電極パターンは面積と形状が同一であることが好ましい。
【００１９】
なお、複数の電極パターンは互いに離隔されて配置されるため、隣接する電極パターンは同一の間隔を置いて配置されることが接触点の正確な座標を獲得するために好ましい。
ベース部材１１０の一面には電極パターン１２０の両端と連結された電極配線１３０が形成される。このような電極配線１３０はベース部材１１０の縁領域に形成されて、このような縁領域はタッチスクリーンが端末機に取付けられた時、ディスプレーで生成した画像が通過しない非活性領域である。
【００２０】
電極配線１３０は、銀ペースト（Ａｇ  Ｐａｓｔｅ）のように抵抗が小さい導電性物質で形成されたり、電極パターン１２０と同一の材料で形成されることができる。
一方、電極配線１３０は、電極パターン１２０で発生する充放電特性による電圧変化をＦＰＣのような連結部（未図示）を通じて制御部（未図示）に伝達する。この際、電極配線１３０の末端はＦＰＣのような連結部を少なく用いるようにデザインするために、ベース部材１１０の一側に形成された接続部１１５に集合されることが好ましい。
そして、接続部１１５はＦＰＣの接続構造によってビアを含むなど、多様な形状を有するように形成されることができる。
【００２１】
上述の電極配線１３０と連結部を通じて接続される制御部（未図示）は電極パターン１２０の抵抗変化を測定し、充放電特性の基準電圧変化値を更新して、外部接触が発生した場合、充放電特性を用いて接触点の座標情報を算出する。
タッチスクリーン１００は、電極配線１３０を通じて電極パターン１２０に少量の電荷を供給するが、所定量の電荷が抵抗成分とキャパシタンスからなったＲＣ等価回路に供給された後、外部接触によって電荷再分布現象が発生し、その時発生する電圧変化を制御部が測定することによって接触点の座標を算出する。
【００２２】
この際、電極パターン１２０の面抵抗は湿度と温度によって変化される可能性があるため、制御部は電極パターンの抵抗変化を測定し、繰り返して基準電圧変化値を更新する。特に、電極パターンが導電性高分子で構成される場合、面抵抗は大きく変化（温度と湿度が増加するほど面抵抗は増加する）するため、基準電圧変化値の更新は必須である。
一方、基準電圧変化値とは、タッチスクリーンに外部接触が発生したかを判断する基準値であり、ＲＣ回路の放電特性によって連続的に表れる電圧変化量である。電極パターンに表れる電圧変化値が基準電圧変化値より変化率が小さい場合（グラフで表現する場合、基準電圧曲線より電圧変化曲線の変化率が小さい場合）は電荷が自然放電されたと判断し、基準電圧変化値より変化率が大きい場合は外部接触が発生したと判断する。その他に閾値時間に測定される電圧値が基準電圧値以上であるか以下であるかを判断して、外部接触が発生したかを判断することができる。
【００２３】
また、充放電特性を用いて接触点の座標を算出するが、これは図４から図９を参照して後述する。
そして、基準電圧変化値は電極パターンの面抵抗に影響を受け、電極配線を通じて電圧を印加して電流を測定すると、電極パターンの面抵抗を獲得することができ、これによって充放電特性を表す基準電圧変化値を更新することができる。
【００２４】
また、本発明によるタッチスクリーンは図３に図示されたように、電極パターン１２０と電極配線１３０をカバーする保護層１４０をさらに含むことを特徴とする。
保護層１４０は入力手段が接触する接触面を形成し、電極パターン１２０と入力手段の間に配置される誘電体の機能を遂行する。
【００２５】
このような保護層１４０は、光学透明接着剤（未図示）によって電極パターンと電極配線をカバーするようにベース部材１１０に接着され、電極パターン１２０と電極配線１３０を外部から保護する機能も遂行する。保護層１４０は、ベース部材１１０と同様に透明なガラス基板またはフィルム基板が採用されることができる。
【００２６】
図４は本発明によるタッチスクリーンに連結された制御部のブロック図であり、図５は本発明によるタッチスクリーンに外部接触が発生した場合に形成される等価回路図であり、図６から図９は本発明によるタッチスクリーンの充放電特性を表すグラフである。以下、これを参照して、本発明によるタッチスクリーンの座標検出方法を説明する。
【００２７】
本発明によるタッチスクリーンに含まれる制御部１５０は上述の機能を遂行するために、充放電測定部１５１、座標検出部１５２、抵抗測定部１５３、補正更新部１５４、及びメモリー部１５５を含む。
充放電測定部１５１は電極パターン１２０に対して電荷の充放電特性を測定する。充放電特性は、所定量の電荷を充電または放電する時、時間によって電極パターン１２０に表れる電圧変化（または電圧変化曲線）を意味する。
【００２８】
タッチスクリーンに外部接触が発生すると、図５に図示されたように、抵抗成分と静電容量成分を含む等価回路が形成される。この際、図５は図３に図示されたタッチスクリーンのＸ方向に対する断面図に対して抵抗成分と静電容量成分を図示している。
接触面とグラウンド面の間に第１キャパシタンスＣ１が形成され、保護層１４０を横切って接触面と電極パターン１２０の間に第２キャパシタンスＣ２が形成されて、電極パターン１２０の長さ方向に沿って両端に２個の抵抗Ｒ：Ｒ１、Ｒ２が発生する。この際、第２キャパシタンスＣ２は保護層１４０の誘電率と厚さによって決まり（接触面積が一定である場合）、２個の抵抗は接触点と電極パターン１２０の両端の間の距離及び電極パターンの面抵抗値によって決まる。
【００２９】
充放電測定部１５１は、電極パターン１２０に対して測定した充放電特性が図６に図示されたように、基準電圧変化値（グラフ（１））より変化率が小さい場合（グラフ（４））は外部接触が発生していないと判断し、基準電圧変化値より変化率が大きい場合（グラフ（２）または（３））は外部接触が発生したと判断する。
そして、座標検出部１５２は、充放電測定部１５１で外部接触が発生したと判断した場合、接触点のＸ座標とＹ座標を測定する。
【００３０】
図６を参照すると、グラフ（１）は基準電圧変化値であり、グラフ（２）及び（３）は保護層１４０上に接触が発生した場合の放電特性を表し、グラフ（４）は接触が発生していない自然放電特性を表す。この際、グラフ夫々は電極パターンが電荷供給源によって初期電圧Ｖ０に充電されたことを前提に図示している。また、タッチスクリーンは電極パターンの両端に電極配線が夫々連結されるが、図６は電極パターンの両端のうち一端に連結された電極配線を通じて測定した放電特性のみを図示している。
【００３１】
接触が発生すると、電荷供給源とＲＣ等価回路の間で電荷再分布現象が起きることにより、グラフ（２）または（３）のような電圧変化が表れる。この際、電圧変化は接触が発生した位置によって異なって表れて、これは時間による電圧変化を決める時定数（ｔｉｍｅ  ｃｏｎｓｔａｎｔ）が抵抗Ｒ及びキャパシタンスＣ１、Ｃ２に依存するためである。
抵抗Ｒは接触点から電極パターン１２０の一端までの距離によって異なるように決まるが、これを用いて接触点の座標情報を獲得することができる。キャパシタンスＣ１、Ｃ２の合成キャパシタンスをＣで表現すると、時定数τ及び電圧変化Ｖ（t）は数学式１及び数学式２のように表すことができる。
【００３２】
〔式１〕
τ＝ＲｘＣ
〔式２〕
Ｖ（ｔ）＝Ｖｆ＋（Ｖ０−Ｖｆ）ｅ（−ｔ／τ）
【００３３】
数学式２でＶｆは、接触による電荷再分布が完了された後の最終電圧を表す。グラフ（２）とグラフ（３）は相異なる位置で接触が発生した場合を仮定するため、抵抗Ｒ及びキャパシタンスＣ１、Ｃ２により決まる時定数τによって、電圧変化が異なって表れることが分かる。
【００３４】
グラフ（２）とグラフ（３）の場合を比較すると、時間による電圧変化が急激に表れるグラフ（２）は、キャパシタンスが同一であると仮定した時、抵抗Ｒが小さいことが分かる。従って、グラフ（２）の場合、接触点の位置がグラフ（３）より電極パターンの一端にもっと近いということが分かる。
【００３５】
即ち、時間による電圧変化が急激するほど、時定数τは小さい値を有するということが分かるが、これは時定数τを決める抵抗成分Ｒが小さいためである。これにより、面抵抗が同一であると仮定した時、接触点から一端までの距離は時定数τに比例する。一方、電極パターンの他端と連結された電極配線を通じて電圧変化を測定した場合には、グラフ（２）とグラフ（３）が互いに変わることは自明な事項であるため、詳細な説明は省略する。
【００３６】
座標検出部１５２は、充放電測定部１５１で測定した充放電特性に対して所定の閾値時間Ｔｓを設定し、接触が発生した時点から（図６及び図7には０と仮定する）閾値時間Ｔｓの間の時間で表れる電圧変化を用いてＸ座標を算出することができる。図６を参照すると、グラフ（２）の場合は閾値時間Ｔｓの間に電圧がＶ０からＶ２に変化し、グラフ（３）の場合はＶ０からＶ３に変化した。
【００３７】
メモリー部１５５に貯蔵されたルックアップテーブルは多様な基準電圧変化値によって他の座標テーブルを含み、座標テーブルは電圧値によるＸ座標値とＹ座標値を含む。この際、座標検出部１５２は最初の基準電圧変化値による座標テーブルを選択した後、閾値時間による電圧値と一致するＸ座標値を選択する。
【００３８】
Ｘ座標値を算出するまた他の方法として、図７に図示されたように、閾値電圧Ｖｓまで電圧が変化するのにかかる時間を用いて座標値を測定することができる。図７を参照すると、グラフ（２）の閾値電圧Ｖｓまで至る時間がＴ２で測定され、グラフ（３）の場合はＴ３で測定された。これにより、Ｔ２とＴ３によるＸ座標値が決まる。
【００３９】
また、本発明によるタッチスクリーン１００は、電極パターン１２０の両端に連結された電極配線１３０を通じて電極パターン１２０に発生する放電特性を全て測定し、これによって獲得した座標情報を正規化することにより、より精緻なＸ座標を算出することができる。
【００４０】
そして、複数の電極パターン１２０は平行に形成されるため、電極パターンの夫々は固有のＹ座標値を有し、他の電極パターンに比べて電極パターンが有するＹ座標値が接触点のＹ座標で決まる。
【００４１】
即ち、接触点と距離が遠い電極パターンはグラフ（４）と類似の電圧変化を表して、接触点に隣接した電極パターン１２０はグラフ（２）またはグラフ（３）のような電圧変化が表れる。充放電測定部１５１が複数の電極パターンをスキャニングすると、座標検出部１５２はこれに基づいて電圧変化がもっとも急激な電極パターンを検出し、Ｙ座標を決める。一方、電圧変化がもっとも大きい電極パターンに隣接して配置された電極パターンに発生した電圧変化を測定し、より細密なＹ座標を算出することもできる。
【００４２】
電極パターンはＩＴＯのような導電性物質で構成されるが、このような導電性物質は温度または湿度のような外部環境によって面抵抗が変化される可能性がある。面抵抗が変化されると、時定数τが変化されるため、従来の基準電圧変化値による座標テーブルを基に座標点を算出するとタッチスクリーンに誤作動が発生する。
【００４３】
特に、耐熱性と耐湿性が弱い導電性高分子の場合はさらにそうである。導電性高分子の場合、高温、高湿で面抵抗が増加するようになる。これにより、同一の条件でタッチが発生した場合でも、図６及び図７に図示されたグラフは図８及び図９に図示されたグラフのように電圧の変化量が減少する。
【００４４】
それでも従来の座標テーブルを用いて座標点を算出すると、閾値時間Ｔsの間にグラフ（２’）は電圧がＶ０からＶ’２に変化し、グラフ（３’）の場合はＶ０からＶ’３に変化したため、Ｖ２とＶ’２の差異、Ｖ３とＶ’３の差異だけＸ座標のエラーが発生する。即ち、接触点のＸ座標が電極パターンの一端からもっと遠いように測定される。
【００４５】
この際、抵抗測定部１５３は電極パターンに発生する電圧、電流特性を用いて電極パターンの面抵抗を測定し、補正更新部１５４は抵抗測定部１５３で測定された電極パターンの抵抗値を用いて前記基準電圧変化値を更新し、更新された基準電圧変化値（例えばグラフ（１’））はメモリー部１５５に貯蔵される。
【００４６】
メモリー部１５５は座標検出部１５２の信号によって更新された電圧変化値による座標テーブルを座標検出部１５２に提供する。
このように、外部環境によって変化される電極パターンの面抵抗値が反映された基準電圧値とそれによる座標テーブルを基にＸ座標値を算出すると、高温高湿により外部環境が変化されても正確なＸ座標を算出することができる。
【００４７】
一方、本発明は上述の実施例に限定されず、本発明の思想及び範囲を外れることなく多様に修正及び変形が出来るということは当技術分野の通常の知識を有する者には明白である。従って、このような変形例または修正例は本発明の特許請求範囲に属するというべきであろう。
【図面の簡単な説明】
【００４８】
【図１】本発明の好ましい実施例によるタッチスクリーンの平面図である。
【図２】図１に図示されたタッチスクリーンの断面図である。
【図３】図１及び図２に図示されたタッチスクリーンの変形例を図示した側面図である。
【図４】本発明によるタッチスクリーンの制御部に対するブロック図である。
【図５】本発明によるタッチスクリーンに外部接触が発生した場合に形成される等価回路図である。
【図６】本発明によるタッチスクリーンの充放電特性を表すグラフである。
【図７】本発明によるタッチスクリーンの充放電特性を表すグラフである。
【図８】面抵抗が変化された場合のタッチスクリーンの充放電特性を表すグラフである。
【図９】面抵抗が変化された場合のタッチスクリーンの充放電特性を表すグラフである。
【符号の説明】
【００４９】
１００    タッチスクリーン
１１０    ベース部材
１１５    接続部
１２０    電極パターン
１３０    電極配線
１４０    保護層
１５０    制御部
【図１】
2012018659.tif 000003
【図２】
2012018659.tif 000004
【図３】
2012018659.tif 000005
【図４】
2012018659.tif 000006
【図５】
2012018659.tif 000007
【図６】
2012018659.tif 000008
【図７】
2012018659.tif 000009
【図８】
2012018659.tif 000010
【図９】
2012018659.tif 000011